(57)【特許請求の範囲】
【請求項１】
型材を枠状に組み合わせて構成したフレームを有し、賞としてコイン形状の遊技媒体を遊技者に付与する遊技機を複数台装備可能で、各遊技機へ遊技媒体を補給するようにした遊技機用島設備ユニットであって、
遊技媒体を貯留する遊技媒体貯留手段と、
上記遊技媒体貯留手段より供給された遊技媒体を揚送して、上部に形成された遊技媒体導出口へ送り出す遊技媒体揚送手段と、
上記遊技媒体揚送手段により遊技媒体導出口へ揚送された遊技媒体を受入口より受け入れ、遊技媒体が垂直状態で自重により転動して傾斜下端の排出口まで自然流下し得る傾斜路である遊技媒体流路が形成された遊技媒体流路部材と、
上記遊技媒体流路部材の遊技媒体流路を抜けて排出口から排出された遊技媒体を回収口より受け入れて上記遊技媒体貯留手段へ導く遊技媒体回収手段と、
上記遊技媒体流路の底部に適数形成された連通孔に各々連なり、各遊技機へ遊技媒体を補給するための遊技媒体補給ゲートと、
上記連通孔を開閉する流路開閉部材と、
を備えて、遊技媒体を循環させて選択的に何れかの遊技機へ補給するように構成するとともに、
上記遊技媒体流路部材を保持するための流路保持手段を備え、
該流路保持手段は、
上記フレームを構成する型材のうち遊技媒体流路の形成方向へほぼ水平に架設された基準型材に直接または間接的に固定されるフレーム側固定部と、固定箇所として予め定めた遊技媒体流路部材の固定部の両側へ各々固定される一対の流路部材側固定部と、該一対の流路部材側固定部の上端を互いに離隔するよう水平方向へ屈曲させた天板保持部と、を備える流路固定部材と、
上記一対の流路部材側固定部と遊技媒体流路部材の下面部との間に形成される下方空部を閉塞して遊技媒体流路部材を下方から支える着脱可能な土台部材と、
からなり、
上記流路固定部材の一対の流路部材側固定部によって遊技媒体流路部材を両側から挟持すると共に、土台部材に設けた傾斜上面部によって遊技媒体流路部材の下面部を下方から支え、前記天板保持部の上方から薄板状の天板を固着するようにしたことを特徴とする遊技機用島設備ユニット。
【発明の詳細な説明】
【０００１】
【発明の属する技術分野】
本発明は、コイン形状の遊技媒体を遊技に供すると共に遊技結果の賞として遊技媒体を遊技者に付与する遊技機を複数台装備可能で、各遊技機へ遊技媒体を補給する遊技媒体補給機構を備える遊技機用島設備ユニットに関する。
【０００２】
【従来の技術】
従来より、コイン形状の遊技媒体（以下、単にコインという。）を用いた遊技を行う遊技機であるパチスロ機は、遊技店で長尺な島設備に組み込まれて使用されている。この島設備内には、ベルトコンベア等の大型の搬送装置が設けられており、コインの補給要求があったパチスロ機に対して選択的にコインを補給可能なようになっている。また、各パチスロ機から回収されたコインは、島設備の一方端部へ集められて清浄・研磨された後に上部へ揚送され、上記搬送装置へ供給されるのである。このようなパチスロ機用の島設備は、何台ものパチスロ機が並設される長尺な構成であることから、補給機構や回収機構もそれに応じた長い補給路や長い回収路を持たざるを得ず、設備費用が高い上に保守も煩雑なものであった。
【０００３】
そこで、本件発明者らは、比較的少数のパチスロ機を構成単位として装着可能な島設備ユニットを提案した（例えば、特願２０００−２２８６６８）。このような島設備ユニットによれば、比較的少数のパチスロ機（例えば、２台，４台，６台，８台）で島を構成することから、各パチスロ機へのコイン補給設備や各パチスロ機からのコイン回収設備を大規模にする必要が無く、比較的低性能で安価な装置を用いることが出来るし、コイン補給路やコイン回収路も短くて済むことから保守も容易になるという利点がある。加えて、各パチスロ機へのコイン補給に際しては、島設備ユニットの上部に傾斜のついたコイン流路部材を設け、立てた状態のコインが転動して流下するコイン流路をコイン流路部材中に形成し、このコイン流路へ必要数のコインを送り出してやると共に、転動中のコインを補給要求のあったパチスロ機へ導くようにコイン補給路を切り替えることで、特定のパチスロ機へ必要数のコインを補給できる方式を採用した。なお、コイン補給路はコイン流路の下部と連通するように形成しておき、常時は補給路遮蔽体によってコイン補給路は閉じられ、コイン補給に際してのみ補給路遮蔽体が退くことでコイン流路の下部とコイン補給路とが連通し、コイン流路を流下したコインが落下して特定のコイン補給路へ導かれる構造とした。
【０００４】
【発明が解決しようとする課題】
しかしながら、上述した島設備ユニットの如くコイン流路部材を用いたコイン補給方式を採用した場合、コイン流路部材に形成したコイン流路の傾斜状態がコインの流下状態と密接に関連するため、コイン流路部材を可能な限り適正な位置に取付けなければならないが、コイン流路部材の正確な位置決めは必ずしも容易ではなく、以下のような不具合を引き起こす可能性があった。
【０００５】
まず、コイン流路部材が特定の角度（例えば、２度）で傾斜しておらず、この角度よりも大きく傾斜している場合には、コイン補給を行う際に、コイン流路部材のコイン流路を流下するコインの流下勢が強くなりすぎ、補給路遮蔽体が退いてコイン補給路への連通部（開口）が開いているにも拘わらず、勢い余って連通部を通り過ぎてしまい、コイン流路部材へ送り出された補給予定数のコイン全てがパチスロ機へ補給されないケースが起きてしまう。逆に、特定の角度以下であると、コインの流下勢が弱くなり、流路内面にコインが接触する際の摺動抵抗や流路内に溜まったゴミなどでコインの流下が止まってしまうと、コイン同士の衝突等が発生し、最悪コイン詰まりが生じてしまう虞れがある。
【０００６】
そのため、コイン流路部材を島設備ユニット内に取付ける際の角度決めは非常に重要であるが、全く何もない状態から施工現場で角度出しを行いながらコイン流路部材を設置するのは作業性が悪い。また、コイン流路部材には各パチスロ機へのコイン補給路が接続される上に各コイン補給路の開閉を行う機構も取り付けられているので、コイン流路部材を島設備ユニット内に固定する固定部にはかなりの重量負荷がかかることとなり、単純なネジ止めだけで十分な保持強度を出すのは容易ではない。
【０００７】
【課題を解決するための手段】
上記課題を解決するために、請求項１に係る発明は、型材を枠状に組み合わせて構成したフレームを有し、賞としてコイン形状の遊技媒体を遊技者に付与する遊技機を複数台装備可能で、各遊技機へ遊技媒体を補給するようにした遊技機用島設備ユニットであって、遊技媒体を貯留する遊技媒体貯留手段と、上記遊技媒体貯留手段より供給された遊技媒体を揚送して、上部に形成された遊技媒体導出口へ送り出す遊技媒体揚送手段と、上記遊技媒体揚送手段により遊技媒体導出口へ揚送された遊技媒体を受入口より受け入れ、遊技媒体が垂直状態で自重により転動して傾斜下端の排出口まで自然流下し得る傾斜路である遊技媒体流路が形成された遊技媒体流路部材と、上記遊技媒体流路部材の遊技媒体流路を抜けて排出口から排出された遊技媒体を回収口より受け入れて上記遊技媒体貯留手段へ導く遊技媒体回収手段と、上記遊技媒体流路の底部に適数形成された連通孔に各々連なり、各遊技機へ遊技媒体を補給するための遊技媒体補給ゲートと、上記連通孔を開閉する流路開閉部材と、を備えて、遊技媒体を循環させて選択的に何れかの遊技機へ補給するように構成するとともに、上記遊技媒体流路部材を保持するための流路保持手段を備え、該流路保持手段は、上記フレームを構成する型材のうち遊技媒体流路の形成方向へほぼ水平に架設された基準型材に直接または間接的に固定されるフレーム側固定部と、固定箇所として予め定めた遊技媒体流路部材の固定部の両側へ各々固定される一対の流路部材側固定部と、該一対の流路部材側固定部の上端を互いに離隔するよう水平方向へ屈曲させた天板保持部と、を備える流路固定部材と、上記一対の流路部材側固定部と遊技媒体流路部材の下面部との間に形成される下方空部を閉塞して遊技媒体流路部材を下方から支える着脱可能な土台部材と、からなり、上記流路固定部材の一対の流路部材側固定部によって遊技媒体流路部材を両側から挟持すると共に、土台部材に設けた傾斜上面部によって遊技媒体流路部材の下面部を下方から支え、前記天板保持部の上方から薄板状の天板を固着するようにしたことを特徴とする。
【０００８】
【発明の実施の形態】
次に、本発明に係る遊技機用島設備ユニットの実施形態を、添付図面に基づき詳細に説明する。
【０００９】
図１は、遊技機用の島設備ユニット１の外観を示し、コイン形状の遊技媒体（以下、コインという。）を遊技に供すると共に遊技結果の賞としてコインを遊技者に付与する遊技機であるパチスロ機２を装備可能なものである。本実施形態に係る島設備ユニット１は、並設した２台のパチスロ機２，２を背向状態として計４台装備可能なものとして示した。なお、パチスロ機２…の装備台数や装備状態は特に限定されるものではなく、保守管理が煩雑にならない程度の台数を装備可能な構成であればよい。
【００１０】
この島設備ユニット１では、２台のパチスロ機２，２の間にコイン貸出機３を設け、これらの上方部を上部装飾板４で、下方部を下部装飾板５で覆い、両側方部を側部装飾板６，６で覆い、上部は装飾天板７で覆い、外観の装飾性を高めてある。なお、本実施形態で示す島設備ユニット１においては、その両側部も側部装飾板６，６で覆うものとしたが、島設備ユニット１自体を連続的に並設することで、長い島を構成するようにしても良い。
【００１１】
また、島設備ユニット１の上部装飾板４には、各パチスロ機２…に対応するように上部表示器８…を各々設け、対応するパチスロ機２の遊技状況に関連した情報表示や遊技上の興趣を高める装飾表示を行えるようにしてある。更に、上部装飾板４には上部表示器８…とは別に島情報報知器９を設けてあり、これによって当該島設備ユニット１における種々の情報（例えば、コイン残量やエラー情報など）を視覚的若しくは聴覚的に報知できるようにしてある。
【００１２】
一方、島設備ユニット１の下部装飾板５の配設部位には、コイン投入口１０を設けてあり、島設備ユニット１の内部に設けた遊技媒体補給機構としてのコイン補給機構（各パチスロ機２…へ遊技媒体としてのコインを補給する機構）へ遊技店員らがコインを補充できるようにしてある。なお、このコイン投入口１０より投入されたコインは、図示を省略したコインセンサにより１個宛て検出され、正確な投入枚数を把握できるようにしても良い。そして、このコイン投入枚数情報や各パチスロ機２…へのコイン補給数等は図示を省略したユニット制御装置（当該島設備ユニット１における各種機器の動作制御や状態管理を行う装置）へ送られて収集管理される。
【００１３】
上述した島設備ユニット１は、金属製の型材を筺枠状に適宜組み合わせて構成したフレームに上記の各種装飾板等を装着した外観を呈するもので、その内部にはコイン補給機構を備えるものとしてある。このコイン補給機構とは、島設備ユニット１内に形成される循環流路で遊技媒体（コイン）を循環させる遊技媒体循環機構部としてのコイン循環機構部と、循環流路を通過する遊技媒体（コイン）を選択的に何れかのパチスロ機２へ補給する遊技媒体補給機構部としてのコイン補給機構部と、からなる。
【００１４】
これらコイン循環機構部およびコイン補給機構部の詳細は、図２に示すようなもので、以下、これらの機構部について説明する。なお、図２は、図１に示す島設備ユニット１の内部透視状態を描いたもので、コイン貸出機３を挟んで２台のパチスロ機２，２を並設可能な遊技機装着面を背向状に２面設けたものである。
【００１５】
先ず、コイン循環機構部の一機能を担う第１コイン貯留タンク１１は、遊技媒体を貯留する遊技媒体貯留手段として機能し、上記コイン投入１０から投入されたコインやパチスロ機２に投入されて回収したコインを一時的に貯留しておくものである。この第１コイン貯留タンク１１に貯留されているコインは、第１コイン揚送装置１２へ供給される。なお、第１コイン貯留タンク１１に貯留されているコインの残量が残り少なくなると、この状態を第１コイン残量センサ１１ａにより検出し、この情報がユニット制御装置へ送出されるものとしてある。
【００１６】
上記第１コイン貯留タンク１１よりコインの供給を受ける第１コイン揚送装置１２は、内部でコインの向きを整えて上向きに開口するコイン送出部１２ａへ１枚づつ送り出すことが可能な揚送ホッパ等で構成するもので、第１コイン揚送装置１２のコイン送出部１２ａから送り出されるコインはコイン揚送流路部材１３を経て島設備ユニット１の上方部へ揚送され、揚送流路部材１３の上端部に形成したコイン導出口１３ａへ送られるのである。すなわち、これら第１コイン揚送装置１２やコイン揚送流路部材１３が協働することで、コイン揚送手段（遊技媒体貯留手段より供給された遊技媒体を揚送して、上部に形成された遊技媒体導出口へ送り出す遊技媒体揚送手段）として機能する。
【００１７】
なお、コイン揚送流路部材１３の上部適所には研磨ユニット１４を配して、揚送されるコインを研磨した後にコイン導出口１３ａへ向けて送り出すものとしてある。
【００１８】
上記コイン揚送流路部材１３のコイン導出口１３ａからコインを立った状態（コインの周面が底部に接し円形状の２面が垂直方向になっている状態）でコインを受け入れるコイン流路部材１５は、コイン導出口１３ａと連通する受入口１６ａからコイン排出口１６ｂに連通するコイン流路１６が内部に形成されたもので、このコイン流路部材１５を島設備ユニット１内に固定する状態を適宜に調整することで、内部のコイン流路１６が適宜な傾斜角度（例えば、２゜）となり、自重により転動したコインが受入口１４ａから傾斜下端の排出口１４ｂまで自然流下し得る傾斜路となる。すなわち、このコイン流路部材１５が、「遊技媒体揚送手段により遊技媒体導出口へ揚送された遊技媒体を受入口より受け入れ、遊技媒体が自重により転動して傾斜下端の排出口まで自然流下し得る傾斜路である遊技媒体流路が形成された遊技媒体流路部材」として機能するのである。
【００１９】
なお、上記コイン流路部材１５内に形成されたコイン流路１６の上流側適所にはコイン計数センサ１７を設けてあり、コイン揚送流路部材１３のコイン導出口１３ａからコイン流路１６へ送り出されてきたコインを１枚宛て検出できるようにしてある。すなわち、このコイン計数センサ１７の検出したコイン数を上記ユニット制御装置等で計数すれば、第１コイン揚送装置１２により揚送されてコイン流路１６へ送り出されたコイン枚数を正確に把握することが出来る。
【００２０】
また、コイン流路１６におけるコイン計数センサ１７の配設位置よりも下流側の通路底部にはコイン補給ゲート１６ｃ…を適数（例えば、８箇所）形成し、これらコイン補給ゲート１６ｃ…に連通するように接続したコイン補給部材１８…によって、各パチスロ機２…やコイン貸出機３…へコインを補給できるようにしてある。なお、コイン流路１６から各コイン補給ゲート１６ｃへの連通部（ゲート入口）は常時は閉塞された状態であり、コイン補給を行う場合には、コイン補給対象の機器とコイン補給部材１８が接続されているコイン補給ゲート１６ｃへの連通部を開成させることで、選択的にコインの流路を切り換え、特定の機器へのみ必要数のコインを供給するのである。
【００２１】
上述したコイン流路部材１５は、例えば、当該島設備ユニット１のフレームを構成する型材の一つである長尺横型材１９，１９に固定された流路保持手段２０（後に詳述）によって所定位置に固定されるものとしてある。
【００２２】
上記コイン流路１６を通過している間に何れのコイン補給ゲート１６ｃにも入ることなく傾斜下端の排出口１６ｂへ到達したコインは、オーバーフロー流路部材２１の回収口２１ａより受け入れられて、オーバーフロー流路部材２１内に形成された下向きのオーバーフロー流路内を落下してゆき、落下口２１ｂから第２コイン貯留タンク２２に貯留されることとなる。この第２コイン貯留タンク２２に貯まったコインは、第２コイン揚送装置２３によってコイン送出部２３ａへ１枚づつ送り出されてゆき、コイン移送流路部材２４のコイン移送流路を経て、上述した第１コイン貯留タンク１１へ移送される。
【００２３】
なお、第２コイン貯留タンク２２にも第２コイン残量センサ２２ａを設けてあり、コインの貯留残量が減った状態を検出できる。また、コイン移送流路部材２４も、上記コイン流路部材１５と同様に、コインの自重で傾斜下端まで流下可能なようにするべく、コイン移送流路が適宜な傾斜角（例えば２゜）の傾斜路となるように調整してある。更に、コイン移送流路を経て第１コイン貯留タンク１１へ移送されたコイン枚数を計数できるように、コイン移送流路部材２４にもコイン計数センサ２５を設けてある。
【００２４】
上述したように、本実施形態においては、オーバーフロー流路部材２１，第２コン貯留タンク２２，第２コイン揚送装置２３，コイン移送流路部材２４等が協働することで、コイン回収手段（遊技媒体流路部材の遊技媒体流路を抜けて排出口から排出された遊技媒体を回収口より受け入れて上記遊技媒体貯留手段へ導く遊技媒体回収手段）として機能するのである。なお、コイン回収手段としての機能を実現するには、コイン流路１７からオーバーフローしたコインやパチスロ機２から回収したコインを再びコイン揚送手段へ供給できればよいので、例えば、オーバーフロー流路部材２１から第１コイン貯留タンク１１へオーバーフローコインを導くようにして、一つのコイン貯留タンクと一つのコイン揚送装置を備える構成とすれば、島設備ユニット１のコストを低減することができる。また、本実施形態の如く２つのコイン貯留タンクと２つのコイン揚送装置を備える構成とすれば、島設備ユニット内に貯留するコインの貯留量を増やすことができ、コイン補給の頻度を少なくできるという利点がある。
【００２５】
以上説明したように、本実施形態におけるコイン補給機構のコイン循環機構部は、コイン貯留手段（第１コイン貯留タンク１１），コイン揚送手段（第１コイン揚送装置１２，コイン揚送流路部材１３），コイン流路部材１５およびコイン回収手段（オーバーフロー流路部材２１，第２コイン貯留タンク２２，第２コイン揚送装置２３，コイン移送流路部材２４）より構成される。
【００２６】
一方、遊技媒体補給機構部は、上記コイン流路部材１５の各コイン補給ゲート１６ｃ…に対応させて設けるもので、その概略を図３に基づいて説明する。なお、上記コイン揚送流路部材１３によって揚送されたコインを送り出すコイン導出口１３ａとコイン流路部材１５の受入口１６ａとは、連結板２６によって接続するものとし、第１コイン揚送装置１２によってコインが送り出されると、その下流側であるコイン揚送流路部材１３内にあるコインも押し上げられてゆくので、コイン揚送流路部材１３の最上部（コイン導出口１３ａに最も近い部位）に位置するコインは揚送流路部材１３から押し出されてコイン流路１６へ至り、そのまま自重により転動して傾斜路を流下してゆく。よって、本実施形態においては、揚送されたコインを１枚宛てコイン流路１６へ送り出す機構を別途必要としないのである。
【００２７】
コイン流路１６の受入口１６ａより受け入れられたコインは、コイン計数センサ１７に検出された後に、コイン補給ゲート１６ｃへ至る。このコイン補給ゲート１６ｃは、コイン流路１６の底部にコインを落とし込める大きさの連通孔に連なるもので、この連通孔を流路開閉部材２７によって遮蔽した状態においては、コインは連通孔へ落ちてコイン補給ゲート１６ｃへ至ることなく、そのままコイン流路１６を流下し続けるのである。この時、全ての連通孔が閉じられていれば、コイン流路１６の傾斜下端まで流下してゆき、排出口１６ｂよりオーバーフローすることとなる。なお、コイン流路部材１５の側壁適所には窓部１６ｄ…を適宜開設し、コイン流路１６内におけるコイン詰まり等の有無を確認できるようにしてある。
【００２８】
また、特定のコイン補給対象機器（本実施形態においてはパチスロ機２もしくはコイン貸出機３の何れか１台）へコインを補給する場合には、そのコイン補給対象機器に補給部材１８を介して接続されているコイン補給ゲート１６ｃに対応して設けた流路開閉ソレノイド２８（流路開閉部材２７の開閉動作を行わせる電気的駆動源）へ上記ユニット制御装置より開指令を送出する。すなわち、該当するコイン補給ゲート１６ｃへの連通孔を遮蔽している流路開閉部材２７の開閉用の流路開閉ソレノイド２８を励磁させると、プランジャの動作に伴って流路開閉部材２７がコイン流路１６から退避するので、コイン流路１６を転動してきたコインは連通孔から落ちてコイン補給ゲート１６ｃへ至り、補給部材１８を通って特定のコイン補給対象機器へ補給されることとなる。
【００２９】
このように、本実施形態におけるコイン補給機構のコイン補給機構部は、コイン補給対象機器と補給部材１８を介して接続されるコイン補給ゲート１６ｃ，該コイン補給ゲート１６ｃへの連通孔を開閉する流路開閉部材２７，該流路開閉部材２７を駆動させる流路開閉ソレノイド２８，該流路開閉ソレノイド２８の駆動制御を行うユニット制御装置等により構成される。
【００３０】
上述したように、本実施形態に係る島設備ユニット１においては、コイン循環機構部の一要素であるコイン流路１６内を自然流下しているコインを別流路へ落とし込むことで特定の機器へのコイン補給を行うコイン補給機構部を備えることから、コインの流下勢が弱くてコイン流路１６内で止まってしまったり、逆にコインの流下勢が強すぎてコイン補給ゲート１６ｃへの連通孔を飛び越してしまったりすると、コイン補給機構の適正な動作を期すことが出来ない。そこで、コイン流路部材１５の固定状態がコイン流路１６の適正な傾斜角度を実現できるようになっていることが重要である。
【００３１】
そこで、コイン流路部材１５を島設備ユニット１内で安定的に保持する流路保持手段２０の詳細について、図４〜図８に基づいて説明する。流路保持手段２０は、図４（ａ）に示すように、流路固定部材３０と土台部材４０とからなるものである。
【００３２】
流路固定部材３０は、島設備ユニット１の基準型材（フレームを構成する型材のうちコイン流路１６の形成方向へほぼ水平に架設された型材）に直接または間接的に固定されるフレーム側固定部３１ａ，３１ａを有するベース金具３１と、コイン流路部材１５の一側へ固定される流路部材側固定部３２ａの下端より水平方向に屈曲して上記ベース金具３１に固定される止着腕部３２ｂを有する２個の保持部材としての保持金具３２，３２とからなる。すなわち、一対の保持金具３２，３２の各流路部材側固定部３２ａ，３２ａがコイン流路部材１６の幅にほぼ等しい間隔を隔てて対向するように各止着腕部３２ｂ，３２ｂをベース金具３１に固定することで、鉛直方向に突出する一対の流路部材側固定部３２ａ，３２ａの間に配したコイン流路部材１６の両側面を狭持するように貫通ネジで固定できるのである（図５（ａ），（ｂ）参照）。
【００３３】
また、本例として示すベース金具３１は適宜厚さの金属板を加工して形成するものとしたので、重量負荷によって板部に弛みが生じないよう辺縁を屈曲させた補強部３１ｂを形成してある。上記流路固定部材３０の流路部材側固定部３２ａの上端には水平方向に屈曲した天板保持部３２ｃを形成し、各天板保持部３２ｃ，３２ｃを薄板状の天板３３に固定する（図５（ｂ）参照）。
【００３４】
さらに、各流路固定部材３０には、ベース金具３１の上面からの高さを異ならしめて第１固定孔３４ａ，第２固定孔３４ｂ，第３固定孔３４ｃを開設してあり、コイン流路部材１５の固定箇所として予め定めた固定部に対して流路固定部材３０の流路部材側固定部３２を固定する際には、固定位置に応じて第１〜第３固定孔３４ａ〜３４ｃの何れかを固定孔として選定する。なお、第１固定孔３４ａは、ベース金具３１の上面から最も離れた位置（最も高い位置）にある孔で、第２固定孔３４ｂはその次に高い位置にある孔で、第３固定孔は最も低い位置にある孔である。
【００３５】
そして、コイン流路部材１５を流路部材側固定部３２ａに固定する場合、例えば、コイン流路部材１５の受入口１６ａに最も近い固定位置では、第１固定孔３４ａを用いてコイン流路部材１５を固定し、その次の固定位置では第２固定孔３４ｂを用いてコイン流路部材１５を固定し、更にその次の固定位置では第３固定孔３４ｃを用いてコイン流路部材１５を固定する。すなわち、コイン流路部材１５の各固定位置における固定部の形成箇所は、コイン流路１６の底面から等距離となるように形成しておき、コイン流路部材１５の各固定位置に応じて使用する固定孔を順次下げてゆく（ベース金具３１の上面からの高さを順次変えてゆく）と、コイン流路部材１５を一定の傾斜状態に設定することが出来るのである。
【００３６】
これは、遊技店に設置された島設備ユニット１内でほぼ水平方となるように架設された長尺横型材１９，１９に対し、フレーム側固定部３１ａ，３１ａを介して流路固定部材３０を固定すると、流路固定部材３０の取付位置に関係なくベース金具３１の上面はほぼ面一となるので、コイン流路部材１６における固定箇所の離隔距離に応じて第１〜第３固定孔３４ａ〜３４ｃの位置を順次低く（若しくは高く）変えてゆけば、予め意図した傾斜状態を得られるからである。換言すれば、流路固定部材３０に予め設けておく第１〜第３固定孔３４ａ〜３４ｃは、「流路固定部材３０の固定位置と定めた各部位の離隔距離」と「実現すべき流路保持部材１５の傾斜角度」とに基づいて開設位置が決定されているのである。
【００３７】
また、上述したように第１〜第３固定孔３４ａ〜３４ｃの何れを用いてコイン流路部材１５を固定するかに応じて、一組の流路部材側固定部３２ａ，３２ａとコイン流路部材１５の下面部との間に形成される下方空部３５の形状が異なることとなるので、この下方空部を閉塞し得る形状を備えるべき土台部材４０は、第１〜第３固定孔３４ａ〜３４ｃの各孔を用いてコイン流路部材１５を固定する場合に応じて、各別の形態を備える必要がある。
【００３８】
例えば、本実施形態として示す島設備ユニット１においては、片面に２台のパチスロ機２，２を並設できる程度のサイズとしたので、コイン流路部材１５が比較的短くてすむことから、２箇所を流路保持手段２０によって固定することで十分な保持強度を達成できるため、受入口１６ａに近い側の固定位置は第１土台部材４０ａと第１固定孔３４ａを用いる第１流路保持手段２０ａで保持し、排出口１６ｂに近い側の固定位置は第２土台部材４０ｂと第２固定孔３４ｂを用いる第２流路保持手段２０ｂで保持し、第３固定孔３４ｃは用いないものとした。
【００３９】
これら第１，第２土台部材４０ａ，４０ｂは、コイン流路部材１５の幅に等しい厚さを有する金属製の板材で、ベース金具３１の上面に載置できる平坦な底面４１と、コイン流路部材１５の下面に面接触する傾斜上面４２とを有する。第１土台部材４０ａと第２土台部材４０ｂとでは、傾斜上面４２の形成高さが異なるのみで、その傾斜角度（例えば、水平方向に対して２゜）は変わらない。そして、これら第１，第２土台部材４０ａ，４０ｂを流路固定部材３０に止着するため、例えば２箇所の止着孔４３，４３を開設してあり、流路固定部材３０における保持金具３２，３２の各対応位置（例えば、対向する一組の流路部材側固定部３２ａ，３２ａの各下方部）に設けた止着孔３６，３６を通してネジ止めすることにより、第１，第２土台部材４０ａ，４０ｂが下方空部３５を閉塞した状態に固定するのである。
【００４０】
すなわち、このコイン流路部材１５の下面部の傾斜に対応した傾斜上面４２を有する土台部材４０によって下方空部３５を閉塞できるので、コイン流路部材１５の各固定箇所では、コイン流路部材１５の下面部が土台部材４０により下方から面で支えられることとなり、コイン流路部材１５の両側面に各々固定される一組の流路部材側固定部３２ａ，３２ａの固定部（第１〜第３固定孔３４ａ〜３４ｃと、これを貫通するネジ）にのみコイン流路部材１５等の重量負荷が掛かることを防ぎ、コイン流路部材１５を島設備ユニット１内で安定的に保持することが可能となる。
【００４１】
しかも、本実施形態においては、流路固定部材３０のベース金具３１を固定する基準型材として、長尺横型材１９，１９（外形フレームを構成する長尺型材のうちコイン流路部材１５を挟んで両側にほぼ水平方向に配置される２本の型材）を採用したので、コイン流路部材１５および流路固定部材３０が外形フレームを補強する型材として機能することとなり、外形フレームに歪みが生ずることを効果的に防止できる。加えて、外形フレームはその性質上、遊技店への設置時に垂直方向と水平方向が高い精度で実現されるので、これらを水平の基準として固定した流路保持手段２０においても、コイン流路保持部材１５が水平方向となす傾斜角度も高精度に実現でき、コイン流路１６内におけるコインの流下勢を所望の範囲に止めることが可能となる。
【００４２】
なお、第１，第２土台部材４０ａ，４０ｂは、金属板の切削加工等により製作できるので、精度の高い加工を期せるが、流路固定部材３０はベース金具３１と保持金具３２，３２とを組み合わせて製作するため、ベース金具３１の上面から第１〜第３固定孔３４ａ〜３４ｃまでの距離の精度が必要十分なレベルにならない可能性もある。そこで、第１〜第３固定孔３４ａ〜３４ｃは縦長の長孔としておき、第１，第２流路保持手段２０ａ，２０ｂにコイン流路部材１５を固定する際には、各土台部材４０の傾斜上面４２上にコイン流路部材１５の底面部を載せ、この状態でコイン流路部材１５に開設された固定孔に合わせてネジ止めすれば、確実にコイン流路部材１５の底面部を土台部材４０の傾斜上面４２へ面接触させることが出来る。
【００４３】
また、土台部材４０の傾斜上面４２は、コイン流路部材１５の下面部に接触する面積が多いほど保持状態が安定することから、土台部材４０の幅（コイン流路１６の形成方向の長さ）は、保持金具３２における流路部材側固定部３２ａの幅と同等か若しくは若干広くしてある。
【００４４】
なお、コイン流路部材１５を固定する箇所や固定数は特に限定されるものではないので、コイン流路が更に長く、第３固定孔３４ｃを用いて固定する必要がある場合には、それに応じた土台部材を用意して第３流路保持手段としても良いし、更に長い場合や、もっと保持間隔を短くして流路保持手段の使用数を増やす必要がある場合には、流路固定部材３０に設けておく固定孔の数や間隔を短くしておけばよい。この時、固定孔の開設間隔が短くなり過ぎて各孔の保持強度が低下するようなら、例えば、奇数番目の固定箇所で用いる固定孔を開設した流路固定部材と偶数番目の固定箇所で用いる固定孔を開設した流路固定部材とを使い分けるようにしても良い。
【００４５】
上述した流路固定部材３０においては、保持金具３２に開設する第１〜第３固定孔３４ａ〜３４ｃを縦長とすることで、コイン流路部材１５を保持する際の高さ方向の微調整を行えるものとしたが、これに限定されるものではなく、寸法精度が確かならば、固定用ネジの軸径に合った丸孔としても良いが、以下に、固定孔を横長とした例について説明する。
【００４６】
図８に示す第１流路保持手段２０ａ′および第２流路保持手段２０ｂ′の各流路固定部材３０′には、横長の第１固定孔３４ａ′，第２固定孔３４ｂ′，第３固定孔３４ｃ′を開設してあり、コイン流路部材１５をコイン流路方向へずらして固定位置を調整することが出来るようにしてある。すなわち、第１，第２土台部材４０ａ，４０ｂの傾斜上面４１上にコイン流路部材１５を載せた状態で、スライド移動させると、傾斜角度を保持したまま、コイン流路１６の受入口１６ａや排出口１６ｂの位置を微妙にずらすことが出来るのである。
【００４７】
このように、コイン流路部材１５の固定箇所をコイン流路１６の方向へずらすことが可能な固定位置調整手段として、横長の第１〜第３固定孔３４ａ′〜３４ｃ′を設け、流路固定部材３０とコイン流路部材１５との固定箇所を横方向にずらすと、コイン流路部材１５は第１，第２土台部材４０ａ，４０ｂの傾斜上面４２，４２に沿って傾斜角度を変えることなく移動し、コイン流路１６の受入口１６ａや排出口１６ｂの位置を若干高くしたり低くしたりする微調整が可能となる。よって、コイン揚送流路部材１３のコイン導出口１３ａとの連結部にコインの流下を阻害するような段差が生ずることを防止でき、訂正なコイン循環路を形成するのに好適である。無論、オーバーフロー流路部材２１の回収口２１ａとコイン流路部材１５の排出口１６ｂとの位置合わせが必要な場合にも、固定位置調整手段は有用である。
【００４８】
なお、固定位置調整手段としては、横長の第１〜第３固定孔３４ａ′〜３４ｃ′に限らず、例えば、横方向に数個の固定孔（丸孔）を開設しておき、コイン流路部材１５の取付箇所を横方向にずらせるようにしても良い。また、横長の孔は、水平方向に長くする場合に限らず、コイン流路部材１５の傾斜角度に等しい傾斜方向に長くしても良い。
【００４９】
以上本発明者によってなされた発明を実施形態に基づき具体的に説明したが、本明細書で開示された実施の形態は全て例示であって、開示された技術に限定されるものではないと考えるべきである。すなわち、本発明の技術的な範囲は、上記の実施形態における説明に基づいて制限的に解釈されるものではなく、あくまでも特許請求の範囲の記載に従って解釈すべきであり、特許請求の範囲の記載技術と均等な技術および特許請求の範囲内での全ての変更が含まれる。
【００５０】
【発明の効果】
以上説明したように、請求項１に係る遊技機用島設備ユニットによれば、遊技媒体流路を保持する流路保持手段が、ほぼ水平な基準型材に直接又は間接的に固定されるフレーム側固定部と、遊技媒体流路部材の固定部の両側へ各々固定される一対の流路部材側固定部と、該一対の流路部材側固定部の上端を互いに離隔するよう水平方向へ屈曲させた天板保持部と、を備える流路固定部材と、一対の流路部材固定部と遊技媒体流路部材の下面部との間に形成される下方空部を閉塞して傾斜上面部で遊技媒体流路部材を下方から支える着脱可能な土台部材と、からなるものとしたので、遊技媒体流路部材の各固定箇所を夫々に応じた流路固定部材により固定すると、ほぼ水平な基準型材に対して遊技媒体流路が一定の傾斜角度を成すように固定することができ、しかも、遊技媒体流路部材の各固定箇所では、遊技媒体流路部材の下面部が土台部材の傾斜上面部により下方から支えられることとなり、遊技媒体流路部材の両側を固定する流路固定部材の流路部材側固定部にのみ遊技媒体流路部材等の重量負荷が掛かることを防ぎ、遊技媒体流路部材を遊技機用島設備ユニット内で安定的に保持することが可能となる。
【図面の簡単な説明】
【図１】  パチスロ機を装備した島設備ユニットの正面図である。
【図２】  島設備ユニット内の遊技媒体循環機構を示す概略正面図である。
【図３】  コイン流路部材のコイン受入側の腰部を示す正面図である。
【図４】  （ａ）流路設置部材と土台部材の斜視図である。
（ｂ）流路設置部材に土台部材を装着した状態の斜視図である。
【図５】  （ａ）流路設置部材の側面図である。
（ｂ）コイン流路部材を固定して土台部材を装着した流路設置部材の側面図である。
【図６】  流路設置部材と２種類の土台部材の対比を示す正面図である。
【図７】  コイン流路部材を固定して第１土台部材を装着した流路設置部材とコイン流路を固定して第２土台部材を装着した流路設置部材とを長尺横型材に固定した状態の概略正面図である。
【図８】  固定位置調整手段としての横長孔を有する流路設置部材を用いたコイン流路部材の固定状態を示す概略正面図である。
【符号の説明】
１    島設備ユニット
２    パチスロ機
１１    第１コイン貯留タンク
１２    第１コイン揚送装置
１３    コイン揚送流路部材
１３ａ  コイン導出口
１５    コイン流路部材
１６    コイン流路
１６ａ  受入口
１６ｂ  排出口
１６ｃ  コイン補給ゲート
１８    コイン補給部材
１９    長尺横型材
２０ａ  第１流路保持手段
２０ｂ  第２流路保持手段
２１    オーバーフロー流路部材
２２    第２コイン貯留タンク
２３    第２コイン揚送装置
２４    コイン移送流路部材
２７    流路開閉部材
２８    流路開閉ソレノイド
３０    流路固定部材
３１    ベース金具
３１ａ  フレーム側固定部
３２    保持金具
３２ａ  流路部材側固定部
３４ａ  第１固定孔
３４ｂ  第２固定孔
３４ｃ  第３固定孔
３５    下方空部
４０ａ  第１土台部材
４０ｂ  第２土台部材
４２    傾斜上面
【図１】
0004122129.tif 000002
【図２】
0004122129.tif 000003
【図３】
0004122129.tif 000004
【図４】
0004122129.tif 000005
【図５】
0004122129.tif 000006
【図６】
0004122129.tif 000007
【図７】
0004122129.tif 000008
【図８】
0004122129.tif 000009